(57)【特許請求の範囲】
【請求項１】
マグネトロンと前記マグネトロンに向けて冷却風を送風するファンとを備え、筐体の側端部において前面部と背面部との間に橋架される補強板により該筐体を補強する高周波加熱装置において、前記補強板は前記マグネトロンを保持するマグネトロン保持部と、屈曲により前記筐体を覆う側面板との間で前記マグネトロンに接続されるリード線の経路を形成する屈曲部と、前記マグネトロンを通過した前記冷却風を遮蔽して前記リード線を保護するリード線保護部とを有するとともに１つの部材で形成したことを特徴とする高周波加熱装置。
【請求項２】
マグネトロンと前記マグネトロンに向けて冷却風を送風するファンとを備え、筐体の側端部において前面部と背面部との間に橋架される補強板により該筐体を補強する高周波加熱装置において、前記補強板は前記マグネトロンを保持するマグネトロン保持部と、前記マグネトロンの異常高温時に前記マグネトロンの電力を遮断するサーモカットを取り付けるサーモカット取付部と、前記冷却風を集めて前記マグネトロンに導く制風板とを有するとともに１つの部材で形成したことを特徴とする高周波加熱装置。
【請求項３】
前記マグネトロンの異常高温時に前記マグネトロンの電力を遮断するサーモカットを取り付けるサーモカット取付部と、前記冷却風を集めて前記マグネトロンに導く制風板とを前記補強板と同一部材により形成したことを特徴とする請求項１に記載の高周波加熱装置。
【請求項４】
前記サーモカット取付部と前記制風板とを兼用したことを特徴とする請求項３に記載の高周波加熱装置。
【請求項５】
前記マグネトロンはマグネット部と、前記冷却風と熱交換を行うラジエータ部とを有し、前記マグネット部と前記補強板との間の隙間を遮蔽する遮蔽部を前記補強板と同一部材により形成したことを特徴とする請求項２乃至請求項４のいづれかに記載の高周波加熱装置。
【発明の詳細な説明】
【０００１】
【発明の属する技術分野】
本発明は、マグネトロンから発生する高周波により加熱を行う電子レンジ等の高周波加熱装置の改良に関する。
【０００２】
【従来の技術】
図５の（ａ）、（ｂ）、（ｃ）は従来の電子レンジを示す上面図、正面図及び側面図である。電子レンジ１は、底板１６、前面板４、背面板５、側面板１５及び天板１７から筐体が構成され、側面板１５と天板１７とは一体に形成されて上方から覆うように固定される。そして、内部は食品を収納して調理を行う加熱室１ａと、高周波を発生するマグネトロン７やマグネトロン７を送風により冷却するファン６等が配される電装室１ｂとに分離されている。
【０００３】
加熱室１ａの前面には食品を出し入れする開閉扉２が設けられ、電装室１ｂの前面には電子レンジ１の操作を行う操作パネル３が設けられている。筐体の両側部上方には図６に示す補強板１３がネジ孔１３ｅを通してネジ（不図示）により前面板４と背面板５に固定されて橋架され、筐体の強度を確保している。図６において（ａ）、（ｂ）は上面図及び側面図を示す。補強板１３には、マグネトロン７がネジ孔１３ａを介してネジ（不図示）で取り付けられるとともに、電源８からマグネトロン７に電力を供給するリード線９を束ねるワイヤホルダ１４が取り付けられている。
【０００４】
マグネトロン７周辺の要部正面図を図７に示すと、マグネトロン７はマグネット部７ｂ、ファン６からの送風気流との間で熱交換を行うラジエータ部７ａ及びノイズフィルタ部７ｃから成っている。ファン６が故障等により停止した際にマグネトロン７の温度上昇を検知してマグネトロン７を停止させるサーモカット１２は、サーモカット取付板１１を介してマグネトロン７に取り付けられている。また、ファン６から送風されてマグネトロン７を冷却して高温となった送風気流からリード線９を保護するリード線保護板１０がマグネトロン７に取り付けられている（図５参照）。
【０００５】
【発明が解決しようとする課題】
このような電子レンジ１は、マグネトロン７周辺の部品が多いためにコストがかかっていた。また、図５において、ファンが矢印Ａ方向に回転すると冷却風はファン６の接線方向に飛散してマグネトロン７に到達する風量が少ないため、マグネトロン７を冷却する冷却効率が低く、多くの電力を必要としていた。
【０００６】
本発明は、部品点数の削減によってコストを削減するとともに、マグネトロンの冷却効率を向上させることのできる高周波加熱装置を提供することを目的とする。
【０００７】
【課題を解決するための手段】
上記目的を達成するため、本発明は、マグネトロンと前記マグネトロンに向けて冷却風を送風するファンとを備え、筐体の側端部において前面部と背面部との間に橋架される補強板により該筐体を補強する高周波加熱装置において、前記補強板は前記マグネトロンを保持するマグネトロン保持部と、屈曲により前記筐体を覆う側面板との間で前記マグネトロンに接続されるリード線の経路を形成する屈曲部と、前記マグネトロンを通過した前記冷却風を遮蔽して前記リード線を保護するリード線保護部とを有するとともに１つの部材で形成したことを特徴としている。
【０００８】
また、本発明は、マグネトロンと前記マグネトロンに向けて冷却風を送風するファンとを備え、筐体の側端部において前面部と背面部との間に橋架される補強板により該筐体を補強する高周波加熱装置において、前記補強板は前記マグネトロンを保持するマグネトロン保持部と、前記マグネトロンの異常高温時に前記マグネトロンの電力を遮断するサーモカットを取り付けるサーモカット取付部と、前記冷却風を集めて前記マグネトロンに導く制風板とを有するとともに１つの部材で形成したことを特徴としている。
【００１０】
また、前記マグネトロンの異常高温時に前記マグネトロンの電力を遮断するサーモカットを取り付けるサーモカット取付部と、前記冷却風を集めて前記マグネトロンに導く制風板とを前記補強板と同一部材により形成したことを特徴としている。
【００１１】
また、前記サーモカット取付部と前記制風板とを兼用したことを特徴としている。
【００１２】
また、前記マグネトロンはマグネット部と、前記冷却風と熱交換を行うラジエータ部とを有し、前記マグネット部と前記補強板との間の隙間を遮蔽する遮蔽部を前記補強板と同一部材により形成したことを特徴としている。
【００１３】
【発明の実施の形態】
本発明の実施形態を図を参照して説明する。説明の便宜上従来例の図５〜図７と同一の部材については同一の符号を付している。図１は本発明にかかる電子レンジの第１実施形態を示し、（ａ）、（ｂ）は上面図及び側面図を示している。電子レンジ１は、底板１６、前面板４、背面板５、側面板１５及び天板１７（図５参照）から筐体が構成され、側面板１５と天板１７とは一体に形成されて上方から覆うように固定される。そして、内部は食品を収納して調理を行う加熱室１ａと、高周波を発生するマグネトロン７やマグネトロン７を送風により冷却するファン６等が配される電装室１ｂとに分離されている。
【００１４】
加熱室１ａの前面には食品を出し入れする開閉扉２が設けられ、電装室１ｂの前面には電子レンジ１の操作を行う操作パネル３が設けられている。筐体の両側部上方には図２に示す補強板１３がネジ孔１３ｅを通してネジ（不図示）により前面板４と背面板５に固定されて橋架され、筐体の強度を確保している。図２において（ａ）、（ｂ）は上面図及び側面図を示す。
【００１５】
補強板１３には、マグネトロン７がネジ孔１３ａを介してネジ（不図示）で取り付けられるとともに、略Ｖ字型に屈曲された屈曲部１３ｄ、マグネトロン７の背面側に屈曲するリード線保護部１３ｃ、マグネトロン７の前面側に屈曲する制風板１３ｂ及びマグネトロン７の前面側に沿って突出する遮蔽部１３ｇが一体に設けられている。
【００１６】
屈曲部１３ｄは、側板１５との間の空間Ｂに電源８からマグネトロン７に電力を供給するリード線９を通してリード線９を束ねている。リード線保護部１３ｃは、ファン６から送風されてマグネトロン７を冷却して高温となった送風気流を遮蔽してリード線９を保護し、リード線９の損傷を防止している。
【００１７】
制風板１３ｂはマグネトロン７の前面側に屈曲しているので、ファン６の矢印Ａ方向の回転によってファン６の接線方向（矢印Ｄ１）に進行する気流が制風板１３ｂによって矢印Ｄ２方向に向きを変えてマグネトロン７の方向に進行する。これにより、マグネトロン７に到達する風量を増加させることができ、マグネトロン７の冷却効率を向上させることができる。
【００１８】
マグネトロン７周辺の要部正面図を図３に示すと、ファン６が故障等により停止した際にマグネトロン７の温度上昇を検知してマグネトロン７を停止させるサーモカット１２は、制風板１３ｂに取り付けられている。制風板１３ｂはマグネトロン７を取り付ける補強板１３に同一部材で一体に形成されているので、熱伝導がよくマグネトロン７の温度上昇を精度良く検知することができる。
【００１９】
同図において遮蔽部１３ｇはマグネット７ｂと補強板１３との間の隙間Ｅを遮蔽することによって、マグネット７ｂの側部を通過する気流Ｆ（図２参照）を減少させている。これによりラジエータ７ａを通過する風量を増加させることができ、更にマグネトロン７の冷却効率を向上させることができるようになっている。
【００２０】
本実施形態の電子レンジ１によると、補強板１３に屈曲部１３ｄ、リード線保護部１３ｃ及び制風板１３ｂを同一部材で設けているので、ワイヤーホルダ１４、リード線保護板１０及びサーモカット取付板１１（図５参照）を別途必要とせず、部品点数削減によってコスト削減を図ることができる。
【００２１】
また、制風板１３ｂ及び遮蔽板１３ｇによりマグネトロン７のラジエータ部７ａにファン６から多くの気流を導くことができるので、マグネトロン７の冷却効率を向上させることができる。
【００２２】
図４は本発明の第２実記形態の電子レンジ１の補強板１３を示し、（ａ）、（ｂ）は上面図及び側面図である。これらの図に示すように、遮蔽板１３ｂの上面にサーモカット取付部１３ｆを補強板１３と同一部材で設け、サーモカット１２を取り付けている。このような構成においても第１実施形態と同様の効果を得ることができる。
【００２３】
第１、第２実施形態において、電子レンジについて説明したが、冷却が必要なマグネトロン等を有する他の高周波加熱装置においても同様に構成することができる。
【００２４】
【発明の効果】
本発明によると、補強板にマグネトロン保持部、屈曲部及びリード線保護部を同一部材で設けているので、ワイヤーホルダ及びリード線保護板を別途必要とせず、部品点数削減によってコスト削減を図ることができる。
【００２５】
また、本発明によると、補強板にサーモカット取付部を同一部材で設けているので、サーモカット取付板を別途必要とせず、部品点数削減によってコスト削減を図ることができる。
【００２６】
また、制風板を設けることによってマグネトロンにファンからの送風気流を多く導くことができ、マグネトロンの冷却効率を向上させることができる。
【００２７】
また、補強板にマグネトロン保持部、屈曲部、リード線保護部及びサーモカット取付部を同一部材で設けているので、ワイヤーホルダ及びリード線保護板を別途必要とせず、部品点数削減によってコスト削減を図ることができるとともに、制風板を設けることによってマグネトロンにファンからの送風気流を多く導くことができ、マグネトロンの冷却効率を向上させることができる。
【００２８】
また、遮蔽板によりマグネトロンのラジエータ部への風量を多くすることができるので更にマグネトロンの冷却効率を向上させることができる。
【図面の簡単な説明】
【図１】本発明の第１実施形態の電子レンジを示す図である。
【図２】本発明の第１実施形態の電子レンジの補強板を示す図である。
【図３】本発明の第１実施形態の電子レンジの要部詳細図である。
【図４】本発明の第２実施形態の電子レンジの補強板を示す図である。
【図５】従来の電子レンジを示す図である。
【図６】従来の電子レンジの補強板を示す図である。
【図７】従来の電子レンジの要部詳細図である。
【符号の説明】
１    電子レンジ
２    開閉扉
３    操作パネル
４    前面板
５    背面板
６    ファン
７    マグネトロン
８    電源
９    リード線
１０    リード線保護板
１１    サーモカット取付板
１２    サーモカット
１３    補強板
１４    ワイヤーホルダ
１５    側面板
１６    底板
１７    天板
【図１】
0003560832.tif 000002
【図２】
0003560832.tif 000003
【図３】
0003560832.tif 000004
【図４】
0003560832.tif 000005
【図５】
0003560832.tif 000006
【図６】
0003560832.tif 000007
【図７】
0003560832.tif 000008